(57)【要約】【課題】収納室の天井高が低くなっても、収納室に物を容易に出し入れできる収納構造を提供する。【解決手段】収納室５の天井高が０．７〜０．９ｍであり、床１より一段低い低床７が、壁３ａに形成された収納室５への第１出入口６の手前から該第１出入口６を通って収納室５の所定の位置まで延在して設けられ、低床７に隣接し、かつ床１の一部である隣接床８が第１出入口６の手前から該第１出入口６を通って収納室５の所定の位置まで延在して設けられているので、人が低床７を通りながら物を押して隣接床８を滑らせて収納室５の所定の位置まで運ぶことができる。したがって、収納室５の天井高が低くなっても、収納室５に物を容易に出し入れできる。【選択図】図１
2011047148.tif 000002
【特許請求の範囲】
【請求項１】
床の一部の上方に、この床より高い中間床が設けられており、この床と中間床との間に壁が設けられ、これら壁と床と中間床とで囲まれた空間が収納室となっている収納構造において、
前記収納室の天井高が０．７〜０．９ｍであり、
前記床より一段低い低床が、前記壁に形成された収納室への第１出入口の手前から該第１出入口を通って前記収納室の所定の位置まで延在して設けられ、
前記低床に隣接し、かつ前記床の一部である隣接床が前記第１出入口の手前から該第１出入口を通って前記収納室の所定の位置まで延在して設けられていることを特徴とする収納構造。
【請求項２】
請求項１に記載の収納構造において、
前記中間床に矩形の開口部を形成することによって、底面が前記床の一部でありかつ壁で囲まれた凹所が設けられ、
この凹所の壁に前記収納室への第２出入口が形成され、
この第２出入口は、前記第１出入口に対向して配置されていることを特徴とする収納構造。
【請求項３】
請求項２に記載の収納構造において、
前記凹所の底面と前記中間床との間には、階段が設けられていることを特徴とする収納構造。
【請求項４】
請求項２または３に記載の収納構造において、
前記収納室の壁には第３出入口が形成され、
この第３出入口は、前記第１出入口および第２出入口に対して、出入り方向が直角となるように配置されていることを特徴とする収納構造。
【請求項５】
請求項４に記載の収納構造において、
前記中間床には、この中間床に形成された第４出入口を開閉する開閉蓋が設けられており、
この第４出入口は、平面視において、前記第１〜第３出入口から離間して配置されていることを特徴とする収納構造。
【発明の詳細な説明】
【技術分野】
【０００１】
本発明は、床の一部の上方に、この床より高い中間床が設けられ、この床と中間床との間に壁が設けられ、これら壁と床と中間床とで囲まれた空間が収納室となっている収納構造に関する。
【背景技術】
【０００２】
近年、生活の質の向上や多様化に伴い、生活に使用する物品が多種多様化および多数化する傾向にあり、例えば押入や納戸、床下収納庫、小屋裏収納部、天井裏収納部等の従来の収納スペースでは広さや容量が不足し、また、建物が建てられる敷地の有効利用という観点から、屋外物置等の設置は望ましくないという問題があった。
この問題を解決する収納構造を備えた建物の一例として、特許文献１に記載のものが知られている。この建物では、建物内部に大型の収納空間である蔵を設けるとともに、この収納空間と同じ床レベルの居室を隣接して設け、さらに当該居室に収納空間への出入口を設けている。この建物は、上階の床と下階の床との間のスキップ床の床レベルに収納空間を設けるため、上階の荷物と下階の荷物のいずれを収納空間へ出し入れする場合にも便利であった。
【先行技術文献】
【特許文献】
【０００３】
【特許文献１】特開２００４−０１１３３６号公報
【発明の概要】
【発明が解決しようとする課題】
【０００４】
ところで、前記収納空間（収納室）は、通常の居室に比して天井高は十分に低く、例えば０．９〜１．４ｍ程度となっている。
一方、都市部狭小敷地においては、上記のような収納空間（収納室）を備えた建物を施工すると、建物が高くなって、北側斜線対応や道路斜線対応が難しくなる。このため、収納室の天井高を低くすることによって、建物の高さを抑えて北側斜線や道路斜線に容易に対応できるが、その反面収納室の天井高が低くなるので、収納室に物を出し入れし難くなるという問題が生じる。
【０００５】
本発明は上記事情に鑑みてなされたもので、収納室の天井高が低くなっても、収納室に物を容易に出し入れできる収納構造を提供することを課題としている。
【課題を解決するための手段】
【０００６】
上記課題を解決するために、請求項１に記載の発明は、例えば図１〜図６に示すように、床１の一部の上方に、この床１より高い中間床２が設けられており、この床１と中間床２との間に壁３ａ〜３ｆが設けられ、これら壁３ａ〜３ｆと床１と中間床２とで囲まれた空間が収納室５となっている収納構造において、
前記収納室５の天井高が０．７〜０．９ｍであり、
前記床１より一段低い低床７が、前記壁３ａに形成された収納室５への第１出入口６の手前から該第１出入口６を通って前記収納室５の所定の位置まで延在して設けられ、
前記低床７に隣接し、かつ前記床１の一部である隣接床８が前記第１出入口６の手前から該第１出入口６を通って前記収納室５の所定の位置まで延在して設けられていることを特徴とする。
【０００７】
請求項１に記載の発明によれば、収納室５の天井高が０．７〜０．９ｍと低くなっているが、床１より一段低い低床７が、収納室５の壁３ａに形成された第１出入口６の手前から該第１出入口６を通って収納室５の所定の位置まで延在して設けられているので、人はこの低床７を通ることで、収納室５の所定の位置まで若干腰を曲げることによって容易に出入りできる。そして、低床７に隣接し、かつ床１の一部である隣接床８が第１出入口６の手前から該第１出入口６を通って収納室５の所定の位置まで延在して設けられているので、この隣接床８に物を載置して、人が低床７を通りながら物を押して隣接床８を滑らせて収納室５の所定の位置まで運ぶことができる。したがって、収納室５の天井高が低くなっても、収納室５に物を容易に出し入れできる。
【０００８】
請求項２に記載の発明は、請求項１に記載の収納構造において、
前記中間床２に矩形の開口部１０を形成することによって、底面１１ａが前記床１の一部でありかつ壁３ｃ〜３ｆで囲まれた凹所１１が設けられ、
この凹所１１の壁３ｅに前記収納室５への第２出入口１２が形成され、
この第２出入口１２は、前記第１出入口６に対向して配置されていることを特徴とする。
【０００９】
請求項２に記載の発明によれば、凹所１１の壁３ｅに形成された第２出入口１２が第１出入口６に対向して配置されているので、第１出入口６を通っても運び込むのが難しい収納室５の奥にも、第２出入口１２から物を出し入れできる。
また、凹所１１の上方は中間床２上の部屋の天井まで吹き抜けているので、この凹所１１を天井が高い居室スペースとして使用することができるとともに、中間床２上の部屋からは視線が通り難いので、作業等を集中して行うのに好適な居室となる。
【００１０】
請求項３に記載の発明は、請求項２に記載の収納構造において、
前記凹所１１の底面１１ａと前記中間床２との間には、階段１４が設けられていることを特徴とする。
【００１１】
請求項３に記載の発明によれば、凹所１１と中間床２上の部屋とを階段を用いて容易に行き来できる。
【００１２】
請求項４に記載の発明は、請求項２または３に記載の収納構造において、
前記収納室５の壁３ｂには第３出入口１５が形成され、
この第３出入口１５は、前記第１出入口６および第２出入口１２に対して、出入り方向が直角となるように配置されていることを特徴とする。
【００１３】
請求項４に記載の発明によれば、収納室５の壁３ｂに形成された第３出入口１５が、第１出入口６および第２出入口１２に対して、出入り方向が直角となるように配置されているので、第１出入口６および第２出入口１２から物を運び込み難い位置にも、第３出入口１５から運び込むことができる。
【００１４】
請求項５に記載の発明は、前記中間床２には、この中間床２に形成された第４出入口１７を開閉する開閉蓋１８が設けられており、
この第４出入口１７は、平面視において、前記第１〜第３出入口６，１２，１５から離間して配置されていることを特徴とする。
【００１５】
請求項５に記載の発明によれば、中間床２に形成された第４出入口１７が、平面視において、第１〜第３出入口６，１２，１５から離間して配置されているので、第１〜第３出入口６，１２，１５から物を運び込み難い位置にも、第４出入口１７から運び込むことができる。
【発明の効果】
【００１６】
本発明によれば、前記収納室の天井高が０．７〜０．９ｍであり、床より一段低い低床が、収納室の壁に形成された第１出入口の手前から該第１出入口を通って前記収納室の所定の位置まで延在して設けられ、前記低床に隣接し、かつ前記床の一部である隣接床が第１出入口の手前から該第１出入口を通って収納室の所定の位置まで延在して設けられているので、この隣接床に物を載置して、人が低床を通りながら物を押して隣接床を滑らせて収納室の所定の位置まで運ぶことができる。したがって、収納室の天井高が低くなっても、収納室に物を容易に出し入れできる。
【図面の簡単な説明】
【００１７】
【図１】本発明に係る収納構造の一例を示すもので、その平面図である。
【図２】同、中間床上の部屋を示す平面図である。
【図３】同、図１におけるＡ−Ａ線断面図である。
【図４】同、図２におけるＢ−Ｂ線断面図である。
【図５】同、収納構造を示す斜視図である。
【図６】同、凹所を斜め上から見た斜視図である。
【発明を実施するための形態】
【００１８】
以下、図面を参照して本発明の実施の形態について説明する。
図１は本発明に係る収納構造の一例を示す平面図、図２は同中間床上の部屋を示す平面図、図３は図１におけるＡ−Ａ線断面図、図４は図２におけるＢ−Ｂ線断面図、図５は収納構造の一例を示す斜視図、図６は凹所を示す斜視図である。
【００１９】
図３および図４に示すように、床１の一部の上方には、この床１より高い中間床２が設けられている。床１と中間床２との間には壁３ａ〜３ｆが設けられており、これら壁３ａ〜３ｆと床１と中間床２とで囲まれた空間が収納室５となっている。
この収納室５の天井高は０．７〜０．９ｍに設定されているが、本例では天井高は０．８５ｍ程度となっている。
前記壁３ａには、図１、図３、図５等に示すように、収納室５への第１出入口６が形成されている。
そして、前記床１より１段低い（例えば３６ｃｍ程度低い）低床７が第１出入口６の手前から該第１出入口６を通って収納室５の所定の位置まで延在して設けられている。なお、第１出入口６の低床７からの高さは、１．０〜１．４ｍに設定されている。
また、図１に示すように、図収納室の深さをＬとすると、低床７は壁３ａから収納室５の奥側に、（１／３）Ｌ〜（１／２）Ｌ程度まで延在して設けられている。
低床７は土間床７で構成されており、この土間床７は例えば図示しない玄関の土間床等から連続している。
【００２０】
また、低床７に隣接し、かつ床１の一部である隣接床８が第１出入口６の手前から該第１出入口６を通って収納室５の所定の位置まで延在して設けられている。隣接床８の幅は、第１出入口６において、低床７の幅より若干大きく設定されている。なお、第１出入口６の隣接床からの高さは、０．７〜０．９ｍに設定されている。
また、低床７は第１出入口６から収納室５に入った位置において、横方向（右方向）に拡幅しており、第１出入口６から入った人は、収納室５の奥側（壁３ｃ側）および横側（壁３ｂ側）に入り込めるようになっている。
【００２１】
図１〜図４および図６に示すように、中間床２の角部には、矩形の開口部１０が形成されており、これによって、底面１１ａが床１の一部であり、かつ壁３ｃ〜３ｆで囲まれた凹所１１が設けられている。
この凹所１１の壁３ｅには、収納室５への第２出入口１２が形成されており、この第２出入口１２は、前記第１出入口６に対向して配置されている。つまり、第２出入口１２は、隣接床８上に位置する第１出入口６に対向して配置されている。
収納室５には、第２出入口１２を開閉する収納家具１３が図１において左右に移動可能に設けられている。この収納家具１３は幅と高さが第２出入口１２の幅と高さとほぼ等しくなっている。収納家具１３には、前記凹所１１から物を収納できるようになっている。
凹所１１の底面１１ａと中間床２との間には階段１４が設けられている。この階段１４は収納家具式のものであり、階段１４の段板が取外し可能となっており、この段板を取り外すことによって、物を出し入れできるようになっている。また、凹所１２には作業テーブル１５が壁３ｃ，３ｅ，３ｆに固定されて水平に設けられている。
【００２２】
また、前記収納室５の壁３ｂには、第３出入口１５が形成されており、この第３出入口１５は、前記第１出入口６および第２出入口１２に対して、出入り方向が直角となるように配置されている。すなわち、第１出入口６および第２出入口１２は出入り方向が図１において前後方向であるのに対し、第３出入口１５は出入り方向が左右方向となっている。第３出入口１５は引違い式の引戸１５ａ，１５ａによって開閉されるようになっている。また、第３出入口１５は、収納室５に入った位置において、横方向（右方向）に拡幅している前記低床７の近傍に位置している。したがって、第３出入口１５から収納室５に運び込んだ物を低床７にいる人が受け取って、収納室５の奥に運び込むこともできる。
【００２３】
前記第３出入口１５が形成された壁３ｂの近傍には、床１から中間床２に至る階段１６が設けられている。中間床２には、第４出入口１７が形成されるとともに、この第４出入口１７を開閉する開閉蓋１８が設けられている。開閉蓋１８には図示しない取手が設けられており、この取手を掴んで引き上げることによって、開閉蓋１８を開けることができるようになっている。第４出入口１７は、平面視において、前記第１〜第３出入口６，１２，１５から離間して配置されている。すなわち、第４出入口１７は、第１出入口６より収納室５の奥側に離間しており、第２出入口１２より収納室５の幅方向、壁３ｂ側に離間しており、第３出入口１５より収納室５の幅方向、壁３ｆ側に離間している。
【００２４】
また、中間床２には、収納棚２０が開口部１０の縁に沿って壁３ｃと平行に、かつ天井に当接して設けられている。この収納棚２０は、格子状に形成されたものであり、その各格子内に物を載置できるとともに、光を透過させることができる。また、収納棚２０は格子状に形成されているので、光の透過率を制御できるととともに、凹所１１から中間床２上の部屋への光（明かり）の漏れを抑制できる。このように収納棚２０を設けることによって、収納として有効利用できるとともに、中間床２から凹所１１への人の落下を防止できる。また、中間床２上の人からの目線を遮ることもできる。
さらに、中間床２上の部屋を囲む壁２１には、前記第１出入口６側と第３出入口１５側にそれぞれ大きな開口が形成されており、これら開口にそれぞれ手摺２２，２３が設けられている。
【００２５】
以上のように、本実施の形態によれば、収納室５の天井高が０．７〜０．９ｍと低くなっているが、床１より一段低い低床７が、収納室５の壁３ａに形成された第１出入口６の手前から該第１出入口６を通って収納室５の所定の位置まで延在して設けられているので、人はこの低床７を通ることで、収納室５の所定の位置まで若干腰を曲げることによって容易に出入りできる。そして、低床７に隣接し、かつ床１の一部である隣接床８が第１出入口６の手前から該第１出入口６を通って収納室５の所定の位置まで延在して設けられているので、この隣接床８に物を載置して、人が低床７を通りながら物を押して隣接床８を滑らせて収納室５の所定の位置まで運ぶことができる。したがって、収納室５の天井高が低くなっても、収納室５に物を容易に出し入れできる。
【００２６】
また、凹所１１の壁３ｅに形成された第２出入口１２が第１出入口６に対向して配置されているので、第１出入口６を通っても運び込むのが難しい収納室５の奥にも、第２出入口１２から物を出し入れできる。
さらに、凹所１１の上方は中間床２上の部屋の天井まで吹き抜けているので、この凹所１１を天井が高い居室スペースとして使用することができるとともに、中間床２上の部屋からは視線が通り難いので、作業等を集中して行うのに好適な居室となる。
また、凹所１１の底面１１ａと中間床２との間に、階段１４が設けられているので、凹所１１と中間床２上の部屋とを階段１４を用いて容易に行き来できる。
【００２７】
また、収納室５の壁３ｂに形成された第３出入口１５が、第１出入口６および第２出入口１２に対して、出入り方向が直角となるように配置されているので、第１出入口６および第２出入口１２から物を運び込み難い位置にも、第３出入口１５から運び込むことができる。
また、中間床２に形成された第４出入口１７が、平面視において、第１〜第３出入口６，１２，１５から離間して配置されているので、第１〜第３出入口６，１２，１５から物を運び込み難い位置にも、第４出入口１７から運び込むことができる。
【符号の説明】
【００２８】
１  床
２  中間床
３ａ〜３ｆ  壁
５  収納室
６  第１出入口
７  低床
８  隣接床
１０  開口部
１１  凹所
１１ａ  底面
１２  第２出入口
１４  階段
１５  第３出入口
１７  第４出入口
１８  開閉蓋
【図１】
2011047148.tif 000003
【図２】
2011047148.tif 000004
【図３】
2011047148.tif 000005
【図４】
2011047148.tif 000006
【図５】
2011047148.tif 000007
【図６】
2011047148.tif 000008